(57)【特許請求の範囲】
【請求項１】
シャッターカーテンと、戸先側端部にガイド溝を備え、火災時に収納姿勢から閉鎖姿勢へ回動する袖扉と、で防火区画部位を閉鎖する袖扉連動防火防煙シャッター装置において、
収納姿勢から閉鎖姿勢に回動した袖扉の当該閉鎖姿勢を保持してロック状態とするロック機構と、
閉鎖姿勢にある袖扉のロック状態を解除して、閉鎖姿勢から収納姿勢へ回動可能とするロック解除機構と、
を備え、
前記ロック機構は、開口部上方の上枠に設けたラッチと、袖扉の上端面に設けたラッチ受けと、からなり、当該ラッチは、袖扉の収納姿勢から閉鎖姿勢への回動を許容し、閉鎖姿勢から収納姿勢への回動を規制する第１状態と、袖扉の閉鎖姿勢から収納姿勢への回動を許容する第２状態とを取るように構成され、袖扉が閉鎖姿勢まで回動した時に第１状態にあるラッチがラッチ受けに係止してロック状態となって袖扉の閉鎖姿勢を保持し、
前記ロック解除機構は、収納姿勢にある袖扉の面部が対向近接する面部に設けられ、面部に沿った第１姿勢と、面部から手前に突出した第２姿勢との間で回動可能なレバーを備え、前記レバーは、レバーが第１姿勢にある時にラッチが第１状態にあり、レバーが第２姿勢にある時にラッチが第２状態となるようにラッチに連繋されており、第１姿勢にあるレバーを手前に回動させて第２姿勢とすることで、閉鎖姿勢にある袖扉のロック状態が解除され、袖扉が収納姿勢にある時には、袖扉の面部が第１姿勢にあるレバーに対向近接している、
袖扉連動防火防煙シャッター。
【請求項２】
前記レバーは、ワイヤを介して前記ラッチに連繋されており、前記ワイヤは前記面部を備えた収納部の戸先側竪枠内、収納部の上枠内、開口部上方の上枠内を通って延びている、請求項１に記載の袖扉連動防火防煙シャッター。
【発明の詳細な説明】
【技術分野】
【０００１】
本発明は、袖扉連動防火防煙シャッターに関するものである。
【背景技術】
【０００２】
シャッターカーテンと、戸先側端部にガイド溝を備えた袖扉とで、防火区画部位を閉鎖する袖扉連動防火防煙シャッターが知られている。袖扉は、典型的には、側壁に対して平行に延びる収納姿勢と、側壁に対して垂直に延びる姿勢、すなわち、開口部の幅方向に延びる閉鎖姿勢、との間で回動可能となっている。袖扉は通常時には収納姿勢にあって側壁に形成した収納部に収納されており、火災時に収納姿勢から回動して閉鎖姿勢となり、閉鎖姿勢袖扉の戸先側のガイド溝が降下するシャッターカーテンの一端を案内するようになっている。
【０００３】
このような袖扉連動防火防煙シャッターでは、閉鎖姿勢まで回動した袖扉がバウンドすることを防止するために袖扉の閉鎖姿勢を保持するロック機構が設けられる。従来では、図１０に示すように、袖扉の上端面に設けたラッチを戸当り枠（上枠）に設けたラッチ受けに係止させてロック状態とし、ラッチのロック状態の解除は袖扉に設けたラッチ解除用のハンドルで行っている。特許文献１（例えば、図７参照）にも、類似の構成を備えた袖扉が開示されており、防火戸にはドアノブの回転操作により解錠されるラッチが設けてある。
【０００４】
ここで、ハンドルは操作可能なように床面から１５００ｍｍ付近の高さ位置に取り付けられる一方、袖扉には避難用の子扉が設置されるため、ハンドルは袖扉の戸先側の框部分に取り付けられることになり、その分だけ戸先側框の幅が大きくなって、結果として袖扉全体の幅寸法が大きくなってしまう。袖扉を収納する戸袋スペースが必要なことや袖扉の回転軌跡上に物を置けない等の理由から袖扉の幅寸法はなるべく小さくしたいという要望がある。また、袖扉の見付面にラッチ解除用のハンドルが付くため、意匠性が損なわれる。
【特許文献１】特開２００４−２９３０９４号
【発明の開示】
【発明が解決しようとする課題】
【０００５】
本発明は、袖扉の幅寸法をコンパクトにすることができ、意匠上も良好なロック解除機構を備えた袖扉連動防火防煙シャッターを提供することを目的とする。
【課題を解決するための手段】
【０００６】
本発明が採用した技術手段は、
シャッターカーテンと、戸先側端部にガイド溝を備え、火災時に収納姿勢から閉鎖姿勢へ回動する袖扉と、で防火区画部位を閉鎖する袖扉連動防火防煙シャッター装置において、
収納姿勢から閉鎖姿勢に回動した袖扉の当該閉鎖姿勢を保持してロック状態とするロック機構と、
閉鎖姿勢にある袖扉のロック状態を解除して、閉鎖姿勢から収納姿勢へ回動可能とするロック解除機構と、
を備え、
前記ロック機構は、開口部上方の上枠に設けたラッチと、袖扉の上端面に設けたラッチ受けと、からなり、当該ラッチは、袖扉の収納姿勢から閉鎖姿勢への回動を許容し、閉鎖姿勢から収納姿勢への回動を規制する第１状態と、袖扉の閉鎖姿勢から収納姿勢への回動を許容する第２状態とを取るように構成され、袖扉が閉鎖姿勢まで回動した時に第１状態にあるラッチがラッチ受けに係止してロック状態となって袖扉の閉鎖姿勢を保持し、
前記ロック解除機構は、収納姿勢にある袖扉の面部が対向近接する面部に設けられ、面部に沿った第１姿勢と、面部から手前に突出した第２姿勢との間で回動可能なレバーを備え、前記レバーは、レバーが第１姿勢にある時にラッチが第１状態にあり、レバーが第２姿勢にある時にラッチが第２状態となるようにラッチに連繋されており、第１姿勢にあるレバーを手前に回動させて第２姿勢とすることで、閉鎖姿勢にある袖扉のロック状態が解除され、袖扉が収納姿勢にある時には、袖扉の面部が第１姿勢にあるレバーに対向近接している、
袖扉連動防火防煙シャッター、である。
【０００７】
一つの態様では、前記レバーは、ワイヤを介して前記ラッチに連繋されており、前記ワイヤは前記面部を備えた収納部の戸先側竪枠内、収納部の上枠内、開口部上方の上枠内を通って延びている。このものでは、レバーとラッチを連繋する部材が外部に露出しないので意匠性が良好である。
【発明の効果】
【０００８】
本発明では、ロック機構は、開口部上方の上枠に設けたラッチと、袖扉の上端面に設けたラッチ受けと、からなるため、ロック状態を解除するためのハンドル等が袖扉に取り付ける必要がなく、その分袖扉の幅寸法を小さくすることができると共に、袖扉の見付面をシンプルにすることができ意匠性が良好である。
【０００９】
袖扉が収納姿勢にある時には、袖扉の面部がロック状態を解除するためのレバーに対向近接しているので、レバーが袖扉に隠蔽されて外部に露出することがなく意匠性が良好であると共に、ロック状態解除後にレバーを第１姿勢に復帰させることを怠った場合であっても、閉鎖姿勢から収納姿勢へ回動する袖扉の面部が第２姿勢にあるレバーに当接することで、操作者にレバーの復帰忘れに気付かせることができ、手動でレバーを第１姿勢へと押し込むことができる。
【図面の簡単な説明】
【００１０】
【図１】袖扉連動防火防煙シャッターの全閉状態の概略正面図である。
【図２】袖扉連動防火防煙シャッターの側面図である。
【図３】袖扉及び子扉の収納姿勢と閉鎖姿勢を示す平面図である。
【図４】閉鎖姿勢にある袖扉の側面図である。
【図５】袖扉の正面図、及び、袖扉の上方部位の拡大側面図である。
【図６】（Ａ）は袖扉の上方部位の斜視図、（Ｂ）はレバーを開いた第２姿勢（上図）、レバーが復旧した第１姿勢（下図）を示す。
【図７】第１状態にあるラッチとレバーの連繋を示す図である。
【図８】第２状態にあるラッチとレバーの連繋を示す図である。
【図９】凹状のスイッチ当接部を用いた連動スイッチの入力を説明する図である。
【図１０】袖扉の閉鎖姿勢を保持する従来のロック機構を示す図である。
【図１１】従来の連動スイッチの入力における課題を説明する図である。
【発明を実施するための形態】
【００１１】
本発明の実施形態を図面に基づいて詳細に説明する。袖扉連動防火防煙シャッター装置は、建物内の空間の所定の防火区画部位に設置されており、火災時に、シャッターカーテン１と袖扉２とで建物内空間を閉鎖して建物内を区画するように構成されている。袖扉２には避難用の子扉３が設けてある。
【００１２】
図１は、全閉状態にある袖扉連動防火防煙シャッター装置を示す概略正面図であって、左右の側壁４、５と天井面ＣＬと床面ＦＬとで形成される開口部の幅方向の部分がシャッターカーテン１によって、残りの部分が袖扉２によって、それぞれ閉鎖される。
【００１３】
開口部全閉状態において、シャッターカーテン１の幅方向の一側の端部は、側壁４に形成されたガイド溝６内に受け入れられ、シャッターカーテン１の幅方向の他側の端部は、袖扉２の戸先側に形成されたガイド溝７内に受け入れられる。
【００１４】
袖扉２は、戸先側端面２０、戸尻側端面２１、上端面２２、下端面２３、対向する面部２４、２５を備えており、戸先側端面２０には袖扉２の高さ方向に延びるガイド溝７が形成されている。袖扉２の戸尻側（基端側）は、回動支軸（例えば、オートヒンジ２６の軸部）を介して躯体に対して回動可能に支持されており、袖扉２は、側壁５に対して平行に延びる収納姿勢と、側壁５に対して垂直に延びる姿勢、すなわち、開口部の幅方向に延びる閉鎖姿勢、との間で回動可能となっている。収納姿勢において、袖扉２は、側壁５に形成された収納部５０に収納されている。収納部５０の戸先側には、収納姿勢にある袖扉２の面部２４の戸先側部位が対向近接する面部５００Ａを備えた竪枠５００が立設されている。閉鎖姿勢となる袖扉２により閉鎖される開口部の上方には戸当り部８０を備えた上枠８が設けてある。また、収納部５０の上方には上枠８´が設けてある。
【００１５】
図示の例では、袖扉２が収納される側壁５は、袖扉連動防火防煙シャッターによって閉鎖される開口部の幅方向に対して略９０度で延出しているが、側壁５は開口部の幅方向に対して９０度で延出するものに限定されるものではない。また、開口部全閉状態において、袖扉２が形成する面とシャッターカーテン１が形成する面とは同じ方向（平面視直線状）に延出しているが、開口部全閉状態において、袖扉が形成する面とシャッターカーテンが形成する面とが角度を持って（例えば９０度）延出するものでもよい。この場合に、袖扉の戸先側端部に設けられるガイドレールの溝部において、袖扉の幅方向に対する溝部の向きが図示のものとは異なることは当業者に理解される。
【００１６】
袖扉２には、面部２４、２５を貫設して避難用開口が形成されており、避難用開口を形成する四周状の枠体に対して子扉３が開閉可能に設けてある。子扉３の戸尻側（基端側）は、回動支軸（例えば、オートヒンジ３０の軸部）を介して避難用開口の枠体に対して回動可能に支持されており、子扉３は、袖扉２の避難用開口を閉鎖する閉鎖姿勢と、袖扉２の避難用開口を開放する開放姿勢、との間で回動可能となっている。
【００１７】
子扉３は、オートヒンジ３０の付勢力により閉鎖姿勢が維持されている。また、防煙性能を向上させるために、子扉３に、子扉３の内部に退避した姿勢と戸先側端面から突出した係止姿勢との間で移動可能なラッチ３１が設け、子扉３の戸先側端面から突出したラッチ３１が避難用開口の枠体の戸先側見込面の所定部位に形成したラッチ受けに係止することで、子扉３の閉鎖状態が維持されるようにしてもよい。
【００１８】
袖扉連動防火防煙シャッター装置において、開口部が開放された状態では、シャッターカーテン１は天井内に収納されており、袖扉２は、側壁５に沿うように、側壁５に形成された収納部５０に収納されている。収納部５０には、収納姿勢にある袖扉２の面部２４の戸先側部位が対向近接する竪枠５００が立設されており、竪枠５００の面部５００Ａには袖扉２の収納姿勢を保持する保持手段である電磁レリーズ５１が設けてある。袖扉２は、オートヒンジ２６等の自閉装置によって収納姿勢から閉鎖姿勢へ回動する方向に付勢されていると共に、電磁レリーズ５１によって収納姿勢に保持されている。
【００１９】
袖扉連動防火防煙シャッター装置は、火災時に感知器（煙感知器や熱感知器）からの検知信号によって生成される火災検知信号に基づいて動作する。火災時に、火災検知信号が制御部９に入力されると、先ず、制御部９からの信号で袖扉２を収納姿勢に保持している電磁レリーズ５１が解除され、オートヒンジ２６のばね力により袖扉２（子扉３も一緒に）が閉鎖方向へ回動して閉鎖姿勢となる。袖扉２が閉鎖姿勢となって戸当り部８０に当接した時に、袖扉２が閉鎖姿勢まで回動したことを連動スイッチ１０（図９参照）が検知して検知信号を出力し、検知信号を受信した制御部９からの信号に従って自動閉鎖装置１１が開閉機１２のブレーキを解放してシャッターカーテン１が、その幅方向の両端が壁に形成したガイド溝６、袖扉２の戸先側端面に形成したガイド溝７に案内されながら全閉状態まで降下して開口部を閉鎖する。
【００２０】
シャッターカーテン１の降下中に、シャッターカーテン１の下端の座板１Ａに障害物等が当接すると、座板１Ａに設けられた座板スイッチがＯＮとなり、検知信号がコードリールのコード１３を通じて制御部９に送信され、制御部９からの信号で開閉機１２のブレーキが復帰してシャッターカーテン１の降下が一端停止し（非停電時であれば、開閉機１２によりシャッターカーテン１が所定距離だけ上昇する）、障害物等が取り除かれた後で再下降する。
【００２１】
また、袖扉連動防火防煙シャッター装置は手動閉鎖装置１４を備えており、例えば、火災時に、火災検知信号が制御部９に入力されることに先立って、人が手動閉鎖装置１４を操作することで、袖扉２を収納姿勢から閉鎖姿勢へ回動させ、袖扉２の閉鎖状態を検知することでシャッターカーテン１を降下させることもできる。
【００２２】
図５に示すように、袖扉２によって閉鎖される開口部の上方の上枠８内にはラッチ機構が設けられ、上枠の下面（天井面ＣＬ）からラッチＬが出没可能となっている。袖扉２が全閉姿勢まで回動して戸当り部８０に当接した時に、袖扉２の上端面２２に形成されたラッチ受け２２０にラッチＬが嵌ってロック状態となることで、袖扉２が閉鎖完了するときのバウンドを防止している。袖扉２を閉鎖姿勢から収納姿勢へ開放させる時（復旧時）には、ロック状態にあるラッチＬを解除する。
【００２３】
ロック状態にあるラッチＬの解除手段の実施形態について、図７、図８に基づいて説明する。図７において、ラッチＬは、袖扉２の収納姿勢から閉鎖姿勢への回動のみを許容し、閉鎖姿勢から収納姿勢への回動を規制する第１状態にあり、閉鎖姿勢にある袖扉２の上端面２２にラッチＬが係止した時にはロック状態となる。一つの態様では、第１状態において、ラッチＬは上下動のみ可能であり、収納姿勢から閉鎖姿勢へと回動する袖扉２の上端面２２の角部がラッチＬの傾斜面に当接して、ラッチＬを押し上げ、上端面２２のラッチ受け２２０にラッチＬがスプリングの付勢力で下方に押し出されて係止することでロック状態となる。
【００２４】
図８において、ラッチＬは、袖扉２の閉鎖姿勢から収納姿勢への回動を許容する第２状態にあり、閉鎖姿勢にある袖扉２の上端面２２に係止したラッチＬはロックが解除された状態となる。一つの態様では、第２状態において、ラッチＬは上下動に加えて回動可能となっており、閉鎖姿勢から収納姿勢への回動する袖扉２のラッチ受け２２０の縁部がラッチＬに当接すると、ラッチＬを上方に回動させながら袖扉２が回動することで係止状態が解除される。このような第１状態と第２状態を取るラッチ自体は当業者によく知られている。
【００２５】
ラッチＬの解除手段は、一端側がラッチＬに連携されており、他端側が開口部上方の上枠８内に設けたロック中継装置１５の可動部１５０Ａに連結されたワイヤＷ１と、ワイヤＷ１をラッチＬから離間する方向に付勢するバネ１６と、一端側が操作ボックス１７のレバー１８に連結されており、他端側が可動部１５０Ｂに連結されているワイヤＷ２と、を備えている。ワイヤＷ１は、開口部の上方の上枠８内の空間を通って延びており、ワイヤＷ２は、竪枠５００内の空間及び収納部５０の上方の上枠８´内の空間を通って延びている。ワイヤＷ２は、一つの態様では、アウターケーブルの内部を通すことで保護されている。操作ボックス１７は前面が面部５００Ａと略面一（少し突出していてもよい）となるように竪枠５００に埋設されている。
【００２６】
レバー１８は、面部５００Ａに沿った第１姿勢（図６（Ｂ）下図）と、面部５００Ａから手前に突出した第２姿勢（図６（Ｂ）上図）との間で回動可能となっている。レバー１８は、レバー１８が第１姿勢にある時にラッチＬが第１状態にあり、レバー１８が第２姿勢にある時にラッチＬが第２状態となるようにラッチＬに連繋されている。第１姿勢にあるレバー１８を手前に回動させて第２姿勢とすることで、閉鎖姿勢にある袖扉２のロック状態が解除され、袖扉２が収納姿勢にある時には、袖扉２の面部２４の戸先側部位が第１姿勢にあるレバー１８に対向近接している。第１姿勢に対する第２姿勢の角度は、限定されず、任意の角度を取り得る。１つの態様では、図８の右側に示すように、第１姿勢に対する第２姿勢の角度は、第２姿勢にあるレバー１８に水平方向に押し込む力が作用した時に第１姿勢に回動復帰することを可能とするような角度（例えば、６０度以下）である。あるいは、図８の左側に示すように、第１姿勢に対する第２姿勢の角度は、９０度以上回動した姿勢でもよい。
【００２７】
図７のラッチＬの第１状態において、袖扉２が収納姿勢から閉鎖姿勢へ回動すると、ラッチＬはその傾斜面に袖扉２が当接することで上方に移動し、回動する袖扉２の上端面２２に形成したラッチ受け２２０がラッチＬの下端まで来ると、上方に移動したラッチＬが下方に突出してラッチ受け２２０に係止してロック状態となる。袖扉２の開放方向の移動はラッチＬの垂直面によって規制される。
【００２８】
ラッチＬがラッチ受け２２０に係止したロック状態において、操作ボックス１７の第１姿勢にあるレバー１８によってワイヤＷ２がバネ１６を圧縮するように引っ張られており、この状態で操作ボックス１７のレバー１８を手前に引いて回動させるとＷ２の引っ張りが解除され、バネ１６によって可動部１５０ＡをラッチＬから離間する方向に移動させてワイヤＷ１を引っ張ることでラッチＬは図８に示す第２状態となり、ラッチＬは回動可能となり、袖扉２が開放方向へ移動する時にラッチ受け２２０がラッチＬに当接しながらラッチＬを上方に回動させることで、袖扉２の開放方向への移動が許容される。また、レバー１８を手動で操作ボックス１７に押し込むことで図７のロック状態に復帰する。もし、手前に回動させて第２姿勢としたレバー１８を第１姿勢とすることを忘れたとしても、閉鎖姿勢から収納姿勢へと回動する袖扉２の面部２４の戸先側部位が突出して第２姿勢にあるレバー１８に当接した状態となるので、操作者はレバー１８の復帰忘れに気付くことができ、第２姿勢としたレバー１８を手動で第１姿勢へ復帰させることができる。また、レバー１８の第２姿勢を図８の右図のような態様とすると共に、操作ボックス１７やレバー１８を精度良く取り付けることによって、ロック状態解除後にレバーを第１姿勢に復帰させることを怠った場合であっても、閉鎖姿勢から収納姿勢へ回動する袖扉２の面部２４が第２姿勢にあるレバー１８に当接して、図８の矢印の方向に押し込むことでレバー１８が第１姿勢となるようにしてもよい。
【００２９】
袖扉連動防火防煙シャッターにおいて、袖扉が閉鎖完了したことを検知して信号を出すための連動スイッチが上枠（戸当り）に設置されており、連動スイッチを袖扉の上端面で押圧することで信号を生成するが、袖扉の角部で連動スイッチを直接押すとなると、万が一袖扉が連動スイッチを押したあとで袖扉が閉まり切らない場合、袖扉の戸先側のガイド溝の位置とシャッターカーテンの端部との位置がずれて、シャッターカーテンが円滑に降下しないことが考えられる（図１１参照）。
【００３０】
本実施形態では、袖扉２の上端面２２において、面部２５側の角部を切り欠いて凹状のスイッチ当接部２２１を形成している。こうすることで、上枠８に設けた連動スイッチ１０が角部の切り欠きを介して袖扉の厚さ方向（見込方向）にある程度入った時にスイッチ当接部２２１に当接してスイッチが入るので、袖扉２は全閉姿勢に近い姿勢にあるため、シャッターカーテン１の一方の端部は袖扉２の戸先側のガイド溝７の上端の傾斜状の拡開ガイド７０に案内されてガイド溝７内に入り、ガイド溝７に案内されながら降下して開口部を閉鎖することができる。
【産業上の利用可能性】
【００３１】
本発明は、袖扉連動防火防煙シャッターに用いることができる。
【符号の説明】
【００３２】
１  シャッターカーテン
２  袖扉
３  子扉
８  開口部上方の上枠
８´  収納部上方の上枠
１８  レバー
５０  収納部
５００  収納部の戸先側の竪枠
５００Ａ  面部
２２０  ラッチ受け
Ｌ  ラッチ
【図１】
0005478425.tif 000002
【図２】
0005478425.tif 000003
【図３】
0005478425.tif 000004
【図４】
0005478425.tif 000005
【図５】
0005478425.tif 000006
【図６】
0005478425.tif 000007
【図７】
0005478425.tif 000008
【図８】
0005478425.tif 000009
【図９】
0005478425.tif 000010
【図１０】
0005478425.tif 000011
【図１１】
0005478425.tif 000012